(57)【特許請求の範囲】
【請求項１】
板面を折曲線によって側面部と、折返部と、端面部とに区画された一枚の段ボール紙を用いて一面が開口された箱型に組立てる瓶収納箱の組立式内装具であって、
前記側面部は、折曲線で折曲されて箱型の外側の正面、背面及び両側面を形成する部分であり、
前記折返部は、側面部の一縁に連設され、折曲線で折曲されて側面部上に重ねられ、折返部を重ねた側を内側として側面部とともに折曲線で順次直角に折り曲げて箱型の正面、背面及び両側面を形成する部分であり、
箱型の四周壁は、前記側面部と前記折返部との二重構造となり、
前記端面部は、側面部の正面及び両側面に相当する部分の他縁に個別に付設された下底、中底及び上底であり、下底、中底、上底の順に折曲して箱型の三重底となり、
前記側面部及び前記折返部の四周壁における各折曲線は、予め段ボール紙の圧潰によって形成され、箱型の稜線を形成し、その折曲部分には、段ボール紙の厚みのため、外側面が伸び、あるいは内側面が縮んで内側又は外側に張り出して膨らみが形成され、
前記側面部および前記折返部の各折曲部分の一部には、それぞれ切欠きが開口され、
前記側面部の切欠きと、前記折返部の切欠きとは、前記側面部に前記折返部を重ね合わせたときに互いに重ならない位置にそれぞれ形成され、
箱型の外側となる前記側面部に開口された前記切欠き内には、膨らみが形成された前記折返部の折曲部分を受け入れ、また内側の前記折返部の前記切欠き内には、膨らみが形成された前記側面部の折曲部分を受け入れるものであることを特徴とする瓶収納箱の組立式内装具。
【請求項２】
前記側面部の切欠きは、箱型の高さの中央部位に開口されたものであり、前記折返部は、第１及び第２の切欠きを有し、第１及び第２の切欠きは、箱型の高さの中央部位を除いて上又は下の部分に開口されたものであることを特徴とする請求項１に記載の瓶収納箱の組立式内装具。
【請求項３】
前記折返部の正面、右側面、背面及び左側面は、それぞれ前記第１及び第２の切欠きの位置において、一方の端縁が他方の板面に支えられ、相互に支えあって箱型に組立てられるものであることを特徴とする請求項１又は２に記載の瓶収納箱の組立式内装具。
【請求項４】
前記折返部の各折曲線は、それぞれ前記第１及び第２の切欠きの長方形の中心から一方に偏って付されていることを特徴とする請求項３に記載の瓶収納箱の組立式内装具。
【発明の詳細な説明】
【０００１】
【発明の属する技術分野】
本発明は、瓶、特に一升瓶のような背の高い瓶の箱詰に用いる瓶収納箱の組立式内装具に関する。
【０００２】
【従来の技術】
従来一升瓶を輸送のために箱詰めするときには、専ら発泡スチロールの成形品が用いられ、その成形品で瓶を支えて箱詰めを行っていた。発泡スチロールは、緩衝性に優れ、自由な形状に成型できるため、梱包用内装具として優れた特性を有している。
【０００３】
しかしながら、プラスチック製品は、廃棄物としての処理や、保管輸送のスペース確保の問題があり、このため、材料として、紙製品に着目され、梱包用内装具においても、紙製品、特に段ボール紙を使用しようとする試みが普及してきた。
【０００４】
段ボール紙は、その紙質の選定により可成りの程度に緩衝性を有しているものの、発泡スチロールのように予め一定形状に賦型することができず、どうしても組立てによらざるを得ない。組立てによる限り、その組立てに工数を要し、発泡スチロール製品のように手軽に使用するというわけにはいかない。組立ては、素早く、しかも簡単にできることが望ましい。
【０００５】
このような要請に応えて発明者は、さきに組立てが容易で、しかも、瓶の緩衝性、保型性に優れた瓶収納箱の組立式内装具を提案した（実願平４−７５６７７号参照）。このような組立式内装具によれば、組立てが簡単であり、側面が２層、上面又は下面が３層の積層構造によって瓶を収納箱内に安定に支持し、落下、衝突時の衝撃による瓶の破損を効果的に防止することができた。
【０００６】
【発明が解決しようとする課題】
ところで、組立式内装具の段ボール紙に、例えば両面段ボールや複両面段ボールのような厚手の段ボール紙を用いたときには、紙面を折曲したときに折曲部分に膨らみが生じるため、段ボール紙を折曲して箱型に組立てるには、この膨らみ部分を見込んで箱型の内法の寸法を決定する必要がある。この膨らみは、段ボール紙を二重に重ねて折曲げられたときには、さらに大きくなり、折曲部分の膨らみのために内装具の外径が大きくなってしまうという問題がある。もっとも、このような問題は、段ボール紙の折曲部分に切り込みを付し、表面又は裏面のライナーを折曲線に沿って切断すれば、残ったライナーの部分で直角に折曲して正確な角型の箱状に組み上げることができる。
【０００７】
ところが、段ボール紙の折曲のために紙面に切込みを付したのでは、段ボール紙の折曲げ部分がかろうじてライナーだけでつながっているという状態となり、箱型の各面は段ボール紙の二重構造のためにその強度が大きくなったとしても、段ボール紙の折曲部分である箱型の各隅、稜角の強度が小さくなり、落下その他の原因で内装具に衝撃を受けたときには、段ボール紙が裂けて内装具が破損し、ひいては収納箱内に収容された瓶を保護し、保型するという機能が損なわれる危険がある。
【０００８】
本発明の目的は、箱状に組立てられた内装具の強度、特に稜角度の強度を増大させた瓶収納箱の組立式内装具を提供することにある。
【０００９】
【課題を解決するための手段】
上記目的を達成するため、本発明による瓶収納箱の組立式内装具においては、板面を折曲線によって側面部と、折返部と、端面部とに区画された一枚の段ボール紙を用いて一面が開口された箱型に組立てる瓶収納箱の組立式内装具であって、
前記側面部は、折曲線で折曲されて箱型の外側の正面、背面及び両側面を形成する部分であり、
前記折返部は、側面部の一縁に連設され、折曲線で折曲されて側面部上に重ねられ、折返部を重ねた側を内側として側面部とともに折曲線で順次直角に折り曲げて箱型の正面、背面及び両側面を形成する部分であり、
箱型の四周壁は、前記側面部と前記折返部との二重構造となり、
前記端面部は、側面部の正面及び両側面に相当する部分の他縁に個別に付設された下底、中底及び上底であり、下底、中底、上底の順に折曲して箱型の三重底となり、
前記側面部及び前記折返部の四周壁における各折曲線は、予め段ボール紙の圧潰によって形成され、箱型の稜線を形成し、その折曲部分には、段ボール紙の厚みのため、外側面が伸び、あるいは内側面が縮んで内側又は外側に張り出して膨らみが形成され、
前記側面部および前記折返部の各折曲部分の一部には、それぞれ切欠きが開口され、
前記側面部の切欠きと、前記折返部の切欠きとは、前記側面部に前記折返部を重ね合わせたときに互いに重ならない位置にそれぞれ形成され、
箱型の外側となる前記側面部に開口された前記切欠き内には、膨らみが形成された前記折返部の折曲部分を受け入れ、また内側の前記折返部の前記切欠き内には、膨らみが形成された前記側面部の折曲部分を受け入れるものである。
【００１１】
また、側面部の切欠きは、箱型の高さの中央部位に開口されたものであり、
折返部は、第１及び第２の切欠きを有し、第１及びだい２の切欠きは、箱型の高さの中央部位を除いて上又は下の部分に開口されたものである。
【００１２】
また、折返部の正面、右側面、背面及び左側面は、それぞれ第１及び第２の切欠きの位置において、一方の端縁が他方の板面に支えられ、相互に支えあって箱型に組立てられるものである。
【００１３】
また、折返部の各折曲線は、それぞれ第１及び第２の切欠きの長方形の中心から一方に偏って付されているものである。
【００１３】
【発明の実施の形態】
以下に本発明の実施の形態を図によって説明する。本発明の内装具１は、図１のように有底の中空角箱型をなし、図２のように瓶収納箱３内に開口を上向きの姿勢（正立姿勢）で内装具１を収納箱３の底部に挿入して瓶底を支え、箱３内の瓶４を衝撃などから保護して安定に保型するものである。
【００１４】
本発明の内装具１を適用する瓶４は、例えば一升瓶，ワインの瓶のような形態のものである。
【００１５】
内装具１は、緩衝性と板強度に優れた材質の紙例えば、複両面ダンボール紙などの段ボールを箱型に組立てたものであり、外周壁は２層、正立姿勢での下底は３層の積層構造となっている。
【００１６】
図３に内装具１の展開図を示す。図において、一枚の段ボール紙２は、その板面が、予め箱型の組立てに必要な形状に裁断され、基本的に横方向の２本の折曲線Ｉ1，Ｉ2により、側面部５と、折返部６と、端面部７との３段に区画されている。
【００１７】
側面部５は、箱型の外周壁の４面を形成するものであり、各段は垂直方向の３本の折曲線Ｉ3〜Ｉ5によって４区画されるが、説明を分かりやすくするため、側面部の４区画をそれぞれ正面８，右側面９，背面１０，左側面１１として区別する。
【００１８】
折返部６は、側面部５の一縁に連設され、側面部５の各面を区画する折曲線Ｉ3〜Ｉ5の延長線上で４区画に区画され、それぞれ側面部５の正面、右側面、背面及び左両側面に重ね合わせる部分すなわち、正面８ａ、右側面９ａ、背面１０ａ、左側面１１ａが形成されている。
【００１９】
端面部７は、側面部５の背面１０を除いて、正面８、右側面９、左側面１１の他端に個別に付設された底である。これを順に上底１２、中底１３、下底１４として区別する。
【００２０】
上底１２には、外縁に差込縁１５がさらに設けられており、また、中底１３及び下底１４の対向縁の一側が切欠かれている。この切欠き部分ｎは、後に上底１２の差込縁１５を挿入する隙間となるものである。なお、側面部５の背面１０の立上り高さや、これに対応する折返部６の背面の高さがそれぞれ左右側面１１，９及び１１ａ，９ａとは異なっているが、これは、組立時の段ボール紙の厚みに応じ、また、差込縁１５の受入れに応ずるためである。
【００２１】
折曲線Ｉ1〜Ｉ5は、段ボール紙の紙を圧潰することによって形成されたものであり、折曲部分は、折曲線Ｉ1〜Ｉ5に沿って折曲げられ、箱型の稜角を形成する部分である。折曲部分は、段ボール紙の厚みのため、外面側が伸び、あるいは内面側が縮んで外面叉は内面に膨らみが形成される。
【００２２】
本発明において側面部５には、それぞれ折曲線Ｉ3〜Ｉ5上、すなわち、正面８と右側面９間、右側面９と背面１０間、及び背面１０と左側面１１間の折曲部分の中央部位には、一定の長さで縦長長方形の切欠き１６を開口している。
【００２３】
一方、折返部６にも、それぞれの折曲線Ｉ3〜Ｉ5上、すなわち、正面８ａと右側面９ａ間、右側面９ａと背面１０ａ間及び背面１０ａと左側面１１ａ間の折曲部分には中央部位を除いて縦長長方形の第１の切欠き１７と第２の切欠き１８を開口している。第１の切欠き１７は折曲線Ｉ2に達し、第２の切欠き１８は折返部６の外縁に開放されている。なお、折返部６を側面部５上に重ねたときの第１の切欠き１７及び第２の切欠き１８と、側面部５の切欠き１６とは、互いに位置をずらせて形成している。
【００２４】
なお、折返部６の各折曲線Ｉ3〜Ｉ5は、第１の切欠き１７と、第２の切欠き１８とをつないでいるが、各折曲線Ｉ3〜Ｉ5は、第１及び第２の切欠き１７、１８の長方形の短辺側中心から一方に偏って付されている。この実施形態においては、折曲線Ｉ3は背面１０ａ側、折曲線Ｉ4は右側面９ａ側、折曲線Ｉ5は正面側８ａ側にそれぞれ偏って付されている。
【００２５】
図４に、本発明の内装具の組立要領を示す。（１）〜（９）は組立順序を示している。
【００２６】
（１）において、まず、（２）の折曲線Ｉ2で折返部６を折曲げ、（３）に示すように折返部６を側面部５上に重ね合せる。次いで、（４）〜（６）のように折返部６を重ねた側の面を内側として側面部５の各面を折曲線Ｉ3〜Ｉ5にて順次直角に折曲げ、枠形に組立てた後、（７）〜（８）の順に、まず、下底１４を直角に折曲げ、その上に中底１３を重ね、最後に上底１２を重ねて上底１２に付設されている差込縁１５を中底１３及び下底１４の側縁と背面１０との間に形成される隙間に差し込んで組立てを完了する。
【００２７】
組立てられた内装具１は、側面部５の正面８の開放縁と左側面１１の開放縁とが突き合わされた状態で、差込縁１５を前記隙間内に差込むことによって定型に保型され、図１のように上面が開放された箱型となる。
【００２８】
本発明において、箱型の四周壁は、側面部５と、折返部６との二重構造となり、折返部６の各折曲部分に形成される膨らみは、外側に張り出すが、その膨らんだ折曲部分は、側面部５に形成された切欠き１６内に受入れられ、側面部５の折曲部分は折返部６の第１及び第２の切欠き１７，１８に受入れられる。したがって、側面部５の各折曲部分には無理が生じない。
【００２９】
しかも、折返部６の各折曲線Ｉ3〜Ｉ5は、第１及び第２の切欠き１７、１８の長方形の中心から一方に偏って付されているために、折曲げの際には、左側面１１ａの端面は背面１０ａの板面に、背面１０ａの端面が右側面９ａの板面に支えられ、相互に支え合った状態で箱型に組み立てられるため、箱形状が安定し、形崩れはしない。
【００３０】
【発明の効果】
以上のように本発明によるときには、厚手の段ボール紙を用いた側面部と折返部との積層による内外二重構造の箱型の内装具であって、側面部及び折返部の各折曲部分にそれぞれ切欠きを開口したものであり、箱型の外側となる側面部に開口した切欠き内に、膨らみが形成された折返部の折曲部分を受入れ、また、内側の折返部の切欠きに、膨らみが形成された側面部の折曲部分を受入れるため、側面部と折返部との折曲部分にお互いに無理な力を掛けることがなく、折返部及び側面部の各折曲部分の少なくとも一部には、段ボール紙の強度をそのまま残して箱型に折曲することが可能となり、強度が大きく、落下によっても容易に破損することがなく、したがって、収納箱内の瓶を有効に保護することができる。
【図面の簡単な説明】
【図１】本発明の一実施形態を示す一部断面斜視図である。
【図２】本発明の内装具を用いて瓶を箱詰めした状態を示す図である。
【図３】本発明の内装具の展開図である。
【図４】内装具の組立順序を示す図である。
【符号の説明】
１  段ボール紙
２  孔
３  瓶収納箱
４  瓶
５  側面部
６  折返部
７  端面部
８，８ａ  正面
９，９ａ  右側面
１０，１０ａ  背面
１１，１１ａ  左側面
１２  上底
１３  中底
１４  下底
１５  差込縁
１６  切欠き
１７  第１の切欠き
１８  第２の切欠き
Ｉ1  折曲線
Ｉ2  折曲線
Ｉ3〜Ｉ5  折曲線
【図１】
0004088806.tif 000002
【図２】
0004088806.tif 000003
【図３】
0004088806.tif 000004
【図４】
0004088806.tif 000005